(57)【特許請求の範囲】
【請求項１】
第１のカードが挿着可能な第１のカード収納部、及び第２のカードが挿着可能な第２のカード収納部を有するハウジングと、このハウジングに設けられ、前記第１のカード収納部に挿着された第１のカードを排出させる第１のカード排出手段、及び前記第２のカード収納部に挿着された第２のカードを排出させる第２のカード排出手段とを備え、前記第１のカードは、前記第２のカードよりもカード挿入方向の長さが短いものとされ、前記第１のカード収納部と前記第２のカード収納部を横方向に並列して形成すると共に、前記第１の排出手段は前記第１のカードのみを排出し、前記第２の排出手段は前記第２のカードのみを排出し、該第１及び第２の排出手段がそれぞれ前記第１及び第２のカードに対して独立して設けられており、前記第１のカード排出手段は、第１のカードの挿入に伴いカード挿入方向に移動可能に配設された第１のスライド部材と、この第１のスライド部材をカード排出方向に付勢する第１の復帰ばねと、この第１の復帰ばねの付勢力に抗して前記第１のスライド部材をカード挿着位置に保持する第１のハート型カム溝及びこの第１のハート型カム溝と係合する第１の係合ピンとからなり、前記第２のカード排出手段は、第２のカードの挿入に伴いカード挿入方向に移動可能に配設された第２のスライド部材と、この第２のスライド部材をカード排出方向に付勢する第２の復帰ばねと、この第２の復帰ばねの付勢力に抗して前記第２のスライド部材をカード挿着位置に保持する第２のハート型カム溝及びこの第２のハート型カム溝と係合する第２の係合ピンとからなり、前記第１及び第２のスライド部材、前記第１及び第２の復帰ばね、前記第１及び第２のハート型カム溝、前記第１及び第２の係合ピン、とをそれぞれカード挿入方向に沿って同一線上となる前後位置に配設し、前記第１のカードを排出させる前記第１のスライド部材をカード挿入方向の手前側に配置し、前記第２のカードを排出させる前記第２のスライド部材をカード挿入方向の奥側に配置すると共に、前記第１のカード排出手段と前記第２のカード排出手段を、前記第１のカード収納部と前記第２のカード収納部との間であって、カード挿入方向に沿って同一線上となる前後位置に配設したことを特徴とするカード用コネクタ装置。
【請求項２】
前記第１のスライド部材をカード排出方向へ付勢する前記第１の復帰ばねを引っ張りばねで形成し、前記第２のスライド部材をカード排出方向へ付勢する前記第２の復帰ばねを圧縮ばねで形成したことを特徴とする請求項１記載のカード用コネクタ装置。
【請求項３】
前記第１のカード収納部に挿着される前記第１のカードと、前記第２のカード収納部に挿着される前記第２のカードとは、前記ハウジングからのカード排出時の突出量がそれぞれ同一となるように形成したことを特徴とする請求項２記載のカード用コネクタ装置。
【請求項４】
前記第１のカードの一側面部、及び前記第２のカードの一側面部にはカード保持用の保持用凹部が形成されており、前記第１のカード収納部に挿着された前記第１のカードの保持用凹部と、前記第２のカード収納部に挿着された前記第２のカードの保持用凹部とが、前記第１のスライド部材、及び前記第２のスライド部材を介してお互いに対向するように配置したことを特徴とする請求項３記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった。このため、色々な種類のメモリーカードを使用したい場合には、それぞれのメモリーカード専用のカード用コネクタ装置を準備する必要があった。
【０００５】
【発明が解決しようとする課題】
しかしながら、一つのカード用コネクタ装置に２枚のカードを挿着したい場合があり、２枚のカードを上下に重ね合わせた状態で挿着するのではなく、２枚のカードを横に並べた状態で挿着して薄型化を図りたいという要望がある。この場合、単に２枚のカードを横に並べるだけでは、排出機構を構成しているそれぞれのスライド部材が横に並べられることになり、横幅寸法が大きくなってしまうという問題があった。
【０００６】
したがって、本発明では上述した問題点を解決し、排出機構を備えるカード用コネクタ装置であって、２枚のカードを横に並べて挿着可能な構成であると共に、横幅寸法を小さくすることができるカード用コネクタ装置を提供することを目的とする。
【０００７】
【課題を解決するための手段】
上記課題を解決するために本発明では第１の手段として、第１のカードが挿着可能な第１のカード収納部、及び第２のカードが挿着可能な第２のカード収納部を有するハウジングと、このハウジングに設けられ、前記第１のカード収納部に挿着された第１のカードを排出させる第１のカード排出手段、及び前記第２のカード収納部に挿着された第２のカードを排出させる第２のカード排出手段とを備え、前記第１のカードは、前記第２のカードよりもカード挿入方向の長さが短いものとされ、前記第１のカード収納部と前記第２のカード収納部を横方向に並列して形成すると共に、前記第１の排出手段は前記第１のカードのみを排出し、前記第２の排出手段は前記第２のカードのみを排出し、該第１及び第２の排出手段がそれぞれ前記第１及び第２のカードに対して独立して設けられており、前記第１のカード排出手段は、第１のカードの挿入に伴いカード挿入方向に移動可能に配設された第１のスライド部材と、この第１のスライド部材をカード排出方向に付勢する第１の復帰ばねと、この第１の復帰ばねの付勢力に抗して前記第１のスライド部材をカード挿着位置に保持する第１のハート型カム溝及びこの第１のハート型カム溝と係合する第１の係合ピンとからなり、前記第２のカード排出手段は、第２のカードの挿入に伴いカード挿入方向に移動可能に配設された第２のスライド部材と、この第２のスライド部材をカード排出方向に付勢する第２の復帰ばねと、この第２の復帰ばねの付勢力に抗して前記第２のスライド部材をカード挿着位置に保持する第２のハート型カム溝及びこの第２のハート型カム溝と係合する第２の係合ピンとからなり、前記第１及び第２のスライド部材、前記第１及び第２の復帰ばね、前記第１及び第２のハート型カム溝、前記第１及び第２の係合ピン、とをそれぞれカード挿入方向に沿って同一線上となる前後位置に配設し、前記第１のカードを排出させる前記第１のスライド部材をカード挿入方向の手前側に配置し、前記第２のカードを排出させる前記第２のスライド部材をカード挿入方向の奥側に配置すると共に、前記第１のカード排出手段と前記第２のカード排出手段を、前記第１のカード収納部と前記第２のカード収納部との間であって、カード挿入方向に沿って同一線上となる前後位置に配設したことを特徴とする。
【０００９】
また、第２の手段として、前記第１のスライド部材をカード排出方向へ付勢する前記第１の復帰ばねを引っ張りばねで形成し、前記第２のスライド部材をカード排出方向へ付勢する前記第２の復帰ばねを圧縮ばねで形成したことを特徴とする。
【００１０】
また、第３の手段として、前記第１のカード収納部に挿着される前記第１のカードと、前記第２のカード収納部に挿着される前記第２のカードとは、前記ハウジングからのカード排出時の突出量がそれぞれ同一となるように形成したことを特徴とする。
【００１１】
また、第４の手段として、前記第１のカードの一側面部、及び前記第２のカードの一側面部にはカード保持用の保持用凹部が形成されており、前記第１のカード収納部に挿着された前記第１のカードの保持用凹部と、前記第２のカード収納部に挿着された前記第２のカードの保持用凹部とが、前記第１のスライド部材、及び前記第２のスライド部材を介してお互いに対向するように配置したことを特徴とする。
【００１２】
【発明の実施の形態】
以下、本発明の実施形態を図１乃至図１３に示す。図１はカード用コネクタ装置の平面図、図２は同じくカバーを除いた状態の平面図、図３はハウジングの平面図、図４は第１のスライド部材の平面図、図５は第２のスライド部材の平面図、図６は第１のカードの平面図、図７は同じく底面図、図８は第２のカードの平面図、図９は同じく底面図、図１０は第１及び第２のカードの排出時のカード用コネクタ装置の平面図、図１１は第１のカードのみ挿着時のカード用コネクタ装置の平面図、図１２は第２のカードのみ挿着時のカード用コネクタ装置の平面図、図１３は第１及び第２のカード両方の挿着時のカード用コネクタ装置の平面図である。
【００１３】
図１乃至図５において、ハウジング１は、合成樹脂などの絶縁材で前方及び上方が開口された箱形に形成されており、このハウジング１の左側は奥行きがやや短めの方形状に形成され、右側はこれよりも奥行きが長めの方形状に形成されて、全体として略逆Ｌ字状に連設された形状となっている。
【００１４】
前記ハウジング１の左側の方形部には、前方及び上方が開口された第１のカード収納部１ａが設けられており、この第１のカード収納部１ａに連続してハウジング１の前面まで延びる第１のカード挿入部１ｂが形成されている。また、前記ハウジング１の右側の方形部には、前方及び上方が開口された第２のカード収納部１ｃが設けられており、この第２のカード収納部１ｃに連続してハウジング１の前面まで延びる第２のカード挿入部１ｄが形成されている。すなわち、前記第１のカード収納部１ａと、前記第２のカード収納部１ｃとは横方向に並列して形成されたものとなっている。
【００１５】
また、前記ハウジング１の中央には、前記第１のカード収納部１ａと前記第２のカード収納部１ｃとの間で、カード挿入方向に沿って同一線上となる前後位置に、後述する第１のカード１２を排出する第１のスライド部材５を収容する第１の平坦部１ｅと、後述する第２のカード１３を排出する第２のスライド部材８を収容する第２の平坦部１ｆとがそれぞれ形成されている。この場合、前記第１の平坦部１ｅはカード挿入方向の手前側に、そして前記第２の平坦部１ｆはカード挿入方向の奥側となるように前後位置にそれぞれ配置されたものとなっている。
【００１６】
また、前記第１の平坦部１ｅの前端部（カードの排出方向側）には、後述する第１の復帰ばね７を収容する第１のばね収容部１ｇが設けられており、この第１のばね収容部１ｇの前端には第１の復帰ばね７の一端側が係止されるフック状のばね係止片２が固着されている。また、前記第２の平坦部１ｆの後端部（カードの挿入方向側）には、後述する第２の復帰ばね１０を収容する第２のばね収容部１ｈが設けられており、この第２のばね収容部１ｈの後端内側面が第２の復帰ばね１０の一端側が当接する当接部となっている。
【００１７】
また、前記第１の平坦部１ｅと前記第２の平坦部１ｆとの間の突出部には、後述する第１の係合ピン６、及び第２の係合ピン９のそれぞれの一端側が回動可能に軸支される軸孔１ｉ、１ｊがそれぞれ形成されている。
【００１８】
前記第１のカード収納部１ａには、導電性の金属材からなる第１のコネクタ端子３が複数個並設されている。前記第１のコネクタ端子３は、前記第１のカード収納部１ａの略中央位置に配設されており、平板状の基部と、この基部から互いに対向する方向へ略Ｚ字状に屈曲されて形成された接続片３ａ及び接触片３ｂとから形成されている。前記第１のコネクタ端子３は、一端側に形成された前記接続片３ａが、前記第１のカード収納部１ａの底面部に設けられた第１の開口部１ｋから外方へ表出して配設されており、この接続片３ａが電子機器などの外部の回路基板上の回路パターンと半田付けされて固着されることで信号の伝送が行われるものとなる。
【００１９】
また、前記第１のコネクタ端子３の基部の他端側に形成された前記接触片３ｂが、前記第１のカード収納部１ａの底面部に設けられた第２の開口部１ｌから前記第１のカード収納部１ａ内に突出して配設されたものとなっている。また、前記接触片３ｂの先端側には、後述する第１のカード１２の接触端子部１２ａに接続される接点部が形成されている。
【００２０】
前記第２のカード収納部１ｃには、導電性の金属材からなる第２のコネクタ端子４が複数個並設されている。前記第２のコネクタ端子４は、前記第２のカード収納部１ｃの後端部（カード挿入方向側）で、前記第１のコネクタ端子３の配設位置よりも奥方に配設されており、平板状の基部と、この基部から互いに対向する方向へ屈曲されて形成された接続片４ａ及び接触片４ｂとから形成されている。前記第２のコネクタ端子４は、一端側に形成された前記接続片４ａが、前記ハウジング１の後面部から外方へ突出して配設されており、この接続片４ａが電子機器などの外部の回路基板上の回路パターンと半田付けされて固着されることで信号の伝送が行われるものとなる。
【００２１】
また、前記第２のコネクタ端子４の基部の他端側に延出して形成された前記接触片４ｂが、前記第２のカード収納部１ｃ内に突出して配設されたものとなっている。また、前記接触片４ｂの先端側には、後述する第２のカード１３の接触端子部１３ａに接続される接点部が形成されている。
【００２２】
また、前記第１のカード収納部１ａの両側面には、後述する第１のカード１２の側面部を案内する一対の挿入ガイド部１ｍが形成されており、また、同じく前記第２のカード収納部１ｃの両側面には、後述する第２のカード１３の側面部を案内する一対の挿入ガイド部１ｎが形成されている
【００２３】
第１のスライド部材５は、合成樹脂などの絶縁材から略Ｌ字状に形成されており、長方形状の基部５ａと、この基部５ａの先端側に交差する方向に延設されたカード受け部５ｂとを有している。このカード受け部５ｂは、前記ハウジング１の第１のカード収納部１ａ内に突出されており、前記第１のカード収納部１ａに挿入される後述する第１のカード１２の前端縁と当接して前記第１のスライド部材５をカードの挿入方向へ移動させるものとなっている。
【００２４】
また、前記基部５ａの中央下面側には、図示しない係合部材が揺動可能に保持されており、この係合部材が、後述する第１のカード１２の一側面部に設けられた保持用凹部１２ｅと係合して第１のカード１２をカードの挿着位置に保持するものとなっている。また、前記基部５ａの中央上面には、複数の斜面や平面からなる環状の第１のハート型カム溝５ｃが形成されており、また、前記基部５ａの後端側には、前記ハウジング１の第１のばね収容部１ｇに収容される、後述する第１の復帰ばね７の一端側が係止されるばね係止部５ｄが設けられている。
【００２５】
第１の係合ピン６は、金属線材から形成されており、その両端が下方に折り曲げられて、その一端側が前記ハウジング１の前記第１の平坦部１ｅと前記第２の平坦部１ｆとの間の突出部に設けられた前記軸孔１ｉに回動可能に軸支され、他端側が前記第１のスライド部材５に設けられた前記第１のハート型カム溝５ｃに摺動することで、前記第１のスライド部材５がカードの挿着位置にロックされ、また排出位置に移動されるものとなっている。
【００２６】
第１の復帰ばね７は、線材をコイル状に巻回して形成された引っ張りばねからなり、この引っ張りばねの両端にはフック部が形成されており、このフック部の一端側が前記第１のスライド部材５のばね係止部５ｄに係止され、他端側が前記ハウジング１の第１のばね収容部１ｇの前端に固着されたばね係止片２に係止されている。そして、前記第１の復帰ばね７の付勢力によって前記第１のスライド部材５はカードの排出方向へ付勢されるものとなっている。この時、前記第１の係合ピン６と前記第１のハート型カム溝５ｃとの協同によって前記第１のスライド部材５は、前記第１の復帰ばね７の付勢力に抗してカードの挿着位置に保持されるものとなっている。
【００２７】
このように、前記第１のスライド部材５、前記第１のハート型カム溝５ｃ、前記第１の係合ピン６、前記第１の復帰ばね７の構成で、前記第１のカード収納部１ａに挿着された第１のカード１２を排出させる第１のカード排出手段を構成するものとなっている。
【００２８】
第２のスライド部材８は、同じく合成樹脂などの絶縁材から略Ｌ字状に形成されており、長方形状の基部８ａと、この基部８ａの先端側に交差する方向に延設されたカード受け部８ｂとを有している。このカード受け部８ｂは、前記ハウジング１の第２のカード収納部１ｃ内に突出されており、前記第２のカード収納部１ｃに挿入される後述する第２のカード１３の前端縁と当接して前記第２のスライド部材８をカードの挿入方向へ移動させるものとなっている。
【００２９】
また、前記基部８ａの中央下面側には、図示しない係合部材が揺動可能に保持されており、この係合部材が、後述する第２のカード１３の一側面部に設けられた保持用凹部１３ｃと係合して第２のカード１３をカードの挿着位置に保持するものとなっている。また、前記基部８ａの中央上面には、複数の斜面や平面からなる環状の第２のハート型カム溝８ｃが形成されており、また、前記基部８ａの前端側が、前記ハウジング１の第２のばね収容部１ｈに収容される、後述する第２の復帰ばね１０の一端側が当接されるばね当接部８ｄが設けられている。
【００３０】
第２の係合ピン９は、同じく金属線材から形成されており、その両端が下方に折り曲げられて、その一端側が前記ハウジング１の前記第の平坦部１ｅと前記第２の平坦部１ｆとの間の突出部に設けられた前記軸孔１ｊに回動可能に軸支され、他端側が前記第２のスライド部材８に設けられた前記第２のハート型カム８ｃに摺動することで、前記第２のスライド部材８がカードの挿着位置にロックされ、また排出位置に移動されるものとなっている。
【００３１】
第２の復帰ばね１０は、線材をコイル状に巻回して形成された圧縮ばねからなり、この圧縮ばねの一端側が前記第２のスライド部材８のばね当接部８ｄに係止され、他端側が前記ハウジング１の第２のばね収容部１ｈの後端内側面の当接部に係止されている。そして、前記第２の復帰ばね１０の付勢力によって前記第２のスライド部材８はカードの排出方向へ付勢されるものとなっている。この時、前記第２の係合ピン９と前記第２のハート型カム溝８ｃとの協同によって前記第２のスライド部材８は、前記第２の復帰ばね１０の付勢力に抗してカードの挿着位置に保持されるものとなっている。
【００３２】
このように、前記第２のスライド部材８、前記第２のハート型カム溝８ｃ、前記第２の係合ピン９、前記第２の復帰ばね１０の構成で、前記第２のカード収納部１ｃに挿着された第２のカード１３を排出させる第２のカード排出手段を構成するものとなっている。
【００３３】
上記構成では、第１のカード１２と第２のカード１３のそれぞれを排出するカード排出手段として、前記第１及び第２のスライド部材５、８と、前記第１及び第２の復帰ばね７、１０と、前記第１及び第２のハート型カム溝５ｃ、８ｃと、前記第１及び第２の係合ピン６、９とを、それぞれカード挿入方向に沿って同一線上となる前後位置に配設するようにしてあるので、例え２枚のカードのそれぞれの排出手段をカード挿入方向に沿って前後位置に配設したとしても、それぞれのカードを、カード挿着位置から一旦押圧することによって確実にカードを排出させることができるため、カードの取り出しが容易に行えるものとなっている。
【００３４】
また、第１のカード１２を排出させる前記第１のスライド部材５をカード挿入方向の手前側に配置して、第２のカード１３を排出させる前記第２のスライド部材８をカード挿入方向の奥側に配置するようにしてあり、また、前記第１のスライド部材５をカード排出方向へ付勢する前記第１の復帰ばね７を引っ張りばねで形成して、前記第２のスライド部材８をカード排出方向へ付勢する前記第２の復帰ばね１０を圧縮ばねで形成するようにしているので、前記第１のスライド部材５と前記第２のスライド部材８との中間位置に、これらの復帰用のばねを配置する必要がなくなるため、前記第１、及び第２のスライド部材５、８のそれぞれの長さ方向の寸法を短くすることができ、コネクタ装置全体の長さ方向の寸法を短くすることができるものとなっている。
【００３５】
カバー部材１１は、導電性の金属板から形成されており、前記ハウジング１の上面側の開口部を覆うように、前記ハウジング１の上面側に取り付けられている。また、このカバー部材１１の中央部には、切り曲げることにより前記ハウジング１の軸孔１ｉ、１ｊに軸支された前記第１、及び第２の係合ピン６、９を付勢して、前記第１、及び第２のスライド部材５、８に設けられた前記第１、及び第２のハート型カム溝５ｃ、８ｃと摺接させるための第１、及び第２の付勢ばね片１１ａ、１１ｂが前記第１、及び第２のロックピン６、９に対応した位置に形成されている。
【００３６】
尚、このカバー部材１１は前記ハウジング１の第１、及び第２のカード収納部１ａ、１ｃに配設された前記第１、及び第２のコネクタ端子３、４の上面を覆うように形成されており、外部からの輻射ノイズ等の侵入を防止するシールド板の役目も果たしている。
【００３７】
図６、図７において、第１のカード１２は、内部に集積回路（ＩＣ）が収納されており、記録媒体として広く使用されているものである。この第１のカード１２の一表面には、その一端側に複数の接触端子部１２ａが形成されており、この接触端子部１２ａが前記ハウジング１の第１のカード収納部１ａに配設された前記第１のコネクタ端子３の接触片３ｂと接触することにより、外部に接続された電子機器との種々の情報処理が行われるものとなっている。
【００３８】
また、前記第１のカード１２には、前記接触端子部１２ａの形成側のその一隅部に、斜面状の切り欠き部１２ｂが設けられている。前記第１のカード１２が前記第１のカード収容部１ａに挿入された時、この切り欠き部１２ｂと前縁部が前記第１のスライド部材５のカード受け部５ｂと係合することによって、前記第１のスライド部材５が前記第１のカード１２の挿入に伴って挿入方向へ移動可能となるように形成されている。
【００３９】
また、前記第１のカード１２の一側面部には、カードの書き込み禁止を示す識別部である凹溝部１２ｃが形成され、この凹溝部１２ｃにはスライド可能な識別子１２ｄが設けられている。この識別子１２ｄをスライド移動させることにより、前記凹溝部１２ｃの位置を変更することができ、この位置に応じてカードへの書き込みの可否を変更することが可能となっている。
【００４０】
また、前記第１のカード１２の他側面部には、保持用凹部１２ｅが形成されている。この保持用凹部１２ｅに前記第１のスライド部材５の中央下面側に揺動可能に設けられた係合部材（図示せず）が係合することで前記第１のカード１２を前記ハウジング１の第１のカード収容部１ａに保持させるものとなっている。
【００４１】
図８、図９において、第２のカード１３は、内部に集積回路（ＩＣ）が収納されており、記録媒体として広く使用されているものである。この第２のカード１３の一表面には、その一端側に複数の接触端子部１３ａが形成されており、この接触端子部１３ａが前記ハウジング１の第２のカード収納部１ｃに配設された前記第２のコネクタ端子４の接触片４ｂと接触することにより、外部に接続された電子機器との種々の情報処理が行われるものとなっている。
【００４２】
また、前記第２のカード１３の一端部には傾斜面からなる切り欠き部１３ｂが形成されており、この切り欠き部１３ｂと一定の間隔をおいて前記第２のカード１３の一側面部には、保持用凹部１３ｃが形成されている。前記第２のカード１３を前記第２のカード収容部１ｃに挿入する際、この保持用凹部１３ｃに、前記第２のスライド部材８の中央下面側に揺動可能に設けられた係合部材（図示せず）が係合することにより、前記第２のカード１３を前記ハウジング１の第２のカード収容部１ｃに保持させるものとなっている。
【００４３】
前記第２のカード１３が前記第２のカード収容部１ｃに挿入された時、前記第２のカード１３の前縁部が前記第２のスライド部材８のカード受け部８ｂに当接することによって、前記第２のスライド部材８が前記第２のカード１３の挿入に伴って挿入方向へ移動可能となるように形成されている。
【００４４】
尚、前記第２のカード１３は略長方体状に形成されており、前記第１のカード１２に比較して、挿入方向の長さが前記第１のカード１２よりも長く長尺状に形成されたものとなっている。
【００４５】
また、前記ハウジング１の第２のカード収納部１ｃに配設された前記第２のコネクタ端子４の配設位置は、前記第１のカード収納部１ａに配設された前記第１のコネクタ端子３の配設位置よりもカード挿入方向の奥方へ形成されており、前記ハウジング１に挿着された前記第１のカード１２の後縁部と、前記ハウジング１に挿着された前記第２のカード１３の後縁部との突出位置が略同一となるように形成してあるので、長さの異なる２種類のカードを、同一のコネクタ装置に挿入／排出する場合においても、それぞれのカードの突出量が同じになるため、操作性や、使い勝手が良好となっている。
【００４６】
また、前記ハウジング１にカードが挿着された際には、前記第１のカード収納部１ａに挿着された前記第１のカード１２の保持用凹部１２ｅと、前記第２のカード収納部１ｃに挿着された前記第２のカード１３の保持用凹部１３ｃとが、前記第１のスライド部材５、及び前記第２のスライド部材８を介してお互いに対向するように配置してあるので、カード保持用のそれぞれの前記保持用凹部１２ｅ、１３ｃに係合する係止片（図示せず）を有するそれぞれの第１、及び第２のスライド部材５、８を、それぞれのカードの中間に前後位置に配置することができるため、前記ハウジング１の幅方向の小型化が可能となっている。
【００４７】
次に、図１０乃至図１３を用いて前記第１のカード１２、及び第２のカード１３をコネクタ装置に挿入する場合の動作を説明する。
【００４８】
まず、初期の状態、すなわち前記第１のカード１２、及び第２のカード１３が排出位置にある場合には、前記第１のスライド部材５、及び第２のスライド部材８は前記第１の復帰ばね７、及び第２の復帰ばね１０の付勢力によりカードの排出方向へ付勢されており、前記第１のカード１２の接触端子部１２ａ、及び第２のカード１３の接触端子部１３ａは、前記第１のコネクタ端子３の接触片３ｂ、及び第２のコネクタ端子４の接触片４ｂとは離間している。この時、前記第１のカード１２は、前記第１のスライド部材５の係合部材（図示せず）により前記保持用凹部１２ｅが係合されて前記第１のカード収納部１ａに保持されており、前記第２のカード１３は、前記第２のスライド部材８の係合部材（図示せず）により前記保持用凹部１３ｃが係合されて前記第２のカード収納部１ｂに保持されたものとなっている。（図１０）
【００４９】
尚、この状態から前記第１のカード１２、及び第２のカード１３を取り出す場合には、前記第１、及び第２のスライド部材５、８に設けられた係合部材は揺動可能に形成されていることから、カードを引く抜くことによりそれぞれの係合部材が前記保持用凹部１２ｅ、１３ｃから外れるため、容易に取り出すことが可能となっている。
【００５０】
次に、前記第１のカード１２をカードの挿入方向へ押圧してやると、前記第１のカード１２の切り欠き部１２ｂと前縁部が、前記第１のスライド部材５のカード受け部５ｂと係合することによって、前記第１のスライド部材５が前記第１のカード１２の挿入に伴って挿入方向へ移動可能となり、前記第１の復帰ばね７の付勢力に抗して前記第１のスライド部材５がカードの挿入方向へ移動して、前記第１の係合ピン６の一端部が前記第１のハート型カム溝５ｃをトレースしてロック位置にロックされる。（図１１）
【００５１】
この時、前記第１のカード１２の接触端子部１２ａと前記第１のコネクタ端子３の接触片３ｂが接触するものとなる。また、前記第１のスライド部材５の係合部材は前記第１のカード１２の保持用凹部１２ｅに係合されており、前記第１のカード１０がカードの挿着位置に確実に保持されるものとなる。
【００５２】
前記第１のカード１２の代わりに、前記第２のカード１３をカードの挿入方向へ押圧してやると、前記第２のカード１３の前縁部が、前記第２のスライド部材８のカード受け部８ｂと係合することによって、前記第２のスライド部材８が前記第２のカード１３の挿入に伴って挿入方向へ移動可能となり、前記第２の復帰ばね１０の付勢力に抗して前記第２のスライド部材８がカードの挿入方向へ移動して、前記第２の係合ピン９の一端部が前記第２のハート型カム溝８ｃをトレースしてロック位置にロックされる。（図１２）
【００５３】
この時、前記第２のカード１３の接触端子部１３ａと前記第２のコネクタ端子４の接触片４ｂが接触するものとなる。また、前記第２のスライド部材８の係合部材は前記第２のカード１３の保持用凹部１３ｃに係合されており、前記第２のカード１３がカードの挿着位置に確実に保持されるものとなる。
【００５４】
図１３は、前記第１のカード１２と、前記第２のカード１３とが同時に挿着された状態を示している。この場合に、前記第２のカード１３は略長方体状に形成されており、前記第１のカード１２に比較して、挿入方向の長さが前記第１のカード１２よりも長く長尺状に形成されたものとなっているが、前記第２のコネクタ端子４の配設位置は、前記第１のコネクタ端子３の配設位置よりもカード挿入方向の奥方へ形成されていることから、前記第１のカード１２の後縁部と、前記第２のカード１３の後縁部との突出位置が略同一となるようになっている。
【００５５】
上記構成によれば、前記第１のカード収納部１ａと前記第２のカード収納部１ｃを横方向に並列して形成するようにしてあり、前記第１のカード１２を排出するための第１のカード排出手段と、前記第２のカード１３を排出するための第２のカード排出手段とを、前記第１のカード収納部１ａと前記第２のカード収納部１ｃとの中間位置であって、カード挿入方向に沿って同一線上となる前後位置に配設するようにしてあるので、２枚のカードを横に並べて挿着可能なコネクタ装置においても、それぞれのカード排出手段の構成を横方向に並設する必要がないため、前記ハウジング１の横幅の外形寸法を極力小さくすることができるものとなっている。
【００５６】
【発明の効果】
以上説明したように、本発明のカード用コネクタ装置は、第１のカードが挿着可能な第１のカード収納部、及び第２のカードが挿着可能な第２のカード収納部を有するハウジングと、このハウジングに設けられ、第１のカード収納部に挿着された第１のカードを排出させる第１のカード排出手段、及び第２のカード収納部に挿着された第２のカードを排出させる第２のカード排出手段とを備え、第１のカード収納部と第２のカード収納部を横方向に並列して形成すると共に、第１のカード排出手段と第２のカード排出手段を、第１のカード収納部と第２のカード収納部との間であって、カード挿入方向に沿って同一線上となる前後位置に配設したことから、２枚のカードを横に並べて挿着可能なコネクタ装置においても、それぞれのカード排出手段の構成が横方向に並設されることがないので、ハウジングの横幅寸法を小さくできるため、コネクタ装置全体の横幅寸法を小さくすることができる。
【００５７】
また、第１のカード排出手段は、第１のカードの挿入に伴いカード挿入方向に移動可能に配設された第１のスライド部材と、この第１のスライド部材をカード排出方向に付勢する第１の復帰ばねと、この第１の復帰ばねの付勢力に抗して第１のスライド部材をカード挿着位置に保持する第１のハート型カム溝及びこの第１のハート型カム溝と係合する第１の係合ピンとからなり、第２のカード排出手段は、第２のカードの挿入に伴いカード挿入方向に移動可能に配設された第２のスライド部材と、この第２のスライド部材をカード排出方向に付勢する第２の復帰ばねと、この第２の復帰ばねの付勢力に抗して第２のスライド部材をカード挿着位置に保持する第２のハート型カム溝及びこの第２のハート型カム溝と係合する第２の係合ピンとからなり、第１及び第２のスライド部材、第１及び第２の復帰ばね、第１及び第２のハート型カム溝、第１及び第２の係合ピン、とをそれぞれカード挿入方向に沿って同一線上となる前後位置に配設したことから、２枚のカードのそれぞれの排出手段をカード挿入方向に沿って前後位置に配設したとしても、それぞれのカードを、カード挿着位置から一旦押圧することによって確実にカードを排出させることができるため、カードの取り出しが容易に行える。
【００５８】
また、第１のカードを排出させる第１のスライド部材をカード挿入方向の手前側に配置し、第２のカードを排出させる第２のスライド部材をカード挿入方向の奥側に配置すると共に、第１のスライド部材をカード排出方向へ付勢する第１の復帰ばねを引っ張りばねで形成し、第２のスライド部材をカード排出方向へ付勢する第２の復帰ばねを圧縮ばねで形成したことから、第１のスライド部材と第２のスライド部材との間に復帰用のばねを配置する必要がないので、それぞれのスライド部材の長さ方向の寸法を短くすることができるため、コネクタ装置全体の長さ方向の寸法を短くできる。
【００５９】
また、第１のカードは、第２のカードよりもカード挿入方向の長さが短いものとされ、第１のカード収納部に挿着される第１のカードと、第２のカード収納部に挿着される第２のカードとは、ハウジングからのカード排出時の突出量がそれぞれ同一となるように形成したことから、長さの異なる２種類のカードを同一のコネクタ装置に挿入／排出する場合においても、それぞれのカードの突出量が同じになるため、操作性や、使い勝手が良い。
【００６０】
また、第１のカードの一側面部、及び第２のカードの一側面部にはカード保持用の保持用凹部が形成されており、第１のカード収納部に挿着された第１のカードの保持用凹部と、第２のカード収納部に挿着された第２のカードの保持用凹部とが、第１のスライド部材、及び第２のスライド部材を介してお互いに対向するように配置したことから、カード保持用の保持用凹部に係合する係止片を有するそれぞれのスライド部材を、それぞれのカードの中間に前後位置に配置することができるため、ハウジングの幅方向の小型化が可能となる。
【図面の簡単な説明】
【図１】本発明の実施形態であるカード用コネクタ装置を示す平面図である。
【図２】本発明の同じくカバーを除いた状態のカード用コネクタ装置を示す平面図である。
【図３】本発明の同じくハウジングを示す平面図である。
【図４】本発明の同じく第１のスライド部材を示す平面図である。
【図５】本発明の同じく第２のスライド部材を示す平面図である。
【図６】本発明の同じく第１のカードを示す平面図である。
【図７】本発明の同じく第１のカードを示す底面図である。
【図８】本発明の同じく第２のカードを示す平面図である。
【図９】本発明の同じく第２のカードを示す底面図である。
【図１０】本発明の第１及び第２のカードの排出時のカード用コネクタ装置を示す平面図である。
【図１１】本発明の第１のカードのみ挿着した状態のカード用コネクタ装置を示す平面図である。
【図１２】本発明の第２のカードのみ挿着した状態のカード用コネクタ装置を示す平面図である。
【図１３】本発明の第１及び第２のカード両方の挿着時のカード用コネクタ装置を示す平面図である。
【符号の説明】
１  ハウジング
１ａ  第１のカード収納部
１ｂ  第１のカード挿入部
１ｃ  第２のカード収納部
１ｄ  第２のカード挿入部
１ｅ  第１の平坦部
１ｆ  第２の平坦部
１ｇ  第１のばね収容部
１ｈ  第２のばね収容部
１ｉ  軸孔
１ｊ  軸孔
１ｋ  第１の開口部
１ｌ  第２の開口部
１ｍ  挿入ガイド部
１ｎ  挿入ガイド部
２  ばね係止片
３  第１のコネクタ端子
３ａ  接続片
３ｂ  接触片
４  第２のコネクタ端子
４ａ  接続片
４ｂ  接触片
５  第１のスライド部材
５ａ  基部
５ｂ  カード受け部
５ｃ  ハート型カム溝
５ｄ  ばね係止部
６  第１の係合ピン
７  第１の復帰ばね
８  第２のスライド部材
８ａ  基部
８ｂ  カード受け部
８ｃ  ハート型カム溝
８ｄ  ばね当接部
９  第２の係合ピン
１０  第２の復帰ばね
１１  カバー部材
１１ａ  第１の付勢ばね片
１１ｂ  第２の付勢ばね片
１２  第１のカード
１２ａ  接触端子部
１２ｂ  切り欠き部
１２ｃ  凹溝部
１２ｄ  識別子
１２ｅ  保持用凹部
１３  第２のカード
１３ａ  接触端子部
１３ｂ  切り欠き部
１３ｃ  保持用凹部
【図１】
0003948938.tif 000002
【図２】
0003948938.tif 000003
【図３】
0003948938.tif 000004
【図４】
0003948938.tif 000005
【図５】
0003948938.tif 000006
【図６】
0003948938.tif 000007
【図７】
0003948938.tif 000008
【図８】
0003948938.tif 000009
【図９】
0003948938.tif 000010
【図１０】
0003948938.tif 000011
【図１１】
0003948938.tif 000012
【図１２】
0003948938.tif 000013
【図１３】
0003948938.tif 000014